(57)【要約】【課題】  犬の糞が地上に落下する前に柄の先に取り付けた糞取り袋を犬の尻にあてがう必要がある。本発明はこの操作を楽に、そして確実に収糞作業が出来るようにした犬の糞とり器を提供することを目的とする。【解決手段】  柄１の先端に設けた輪環２に犬の糞取り袋３を装着し、取っ手４近くに設けた操作レバー５で柄1内に挿通されるロッド６を前後に動かし、該ロッド６に連結するリンク機構を介して前記輪環２を左右に揺動させるようにした。そして前記リンク機構を球形カバー８の内壁に立設した軸ピン１１を柄１の先端から延設した基板９に設けた穴から突設させ、該軸ピン１１に回転板１０を回動自在に軸支すると共に、この回転板１０の一端と前記ロッド６の先端に軸ピン１４で回動自在に軸支される連結片１３の他端とを軸ピン１２で回動自在に連結するようにした。【選択図】図１
2005087146.tif 000002
【特許請求の範囲】
【請求項１】
柄（１）の先端に設けた輪環（２）に犬の糞取り袋（３）を装着し、取っ手（４）近くに設けた操作レバー（５）で柄（１）内に挿通されるロッド（６）を前後に動かし、該ロッド（６）に連結するリンク機構を介して前記輪環（２）を左右に揺動させるようにした犬の糞取り器。
【請求項２】
前記リンク機構は、球形ケース（８）の内壁に立設した軸ピン（１１）を柄（１）の先端から延設した基板（９）に設けた穴から突設させ、該軸ピン（１１）に回転板（１０）を回動自在に軸支すると共に、この回転板（１０）の一端と前記ロッド（６）の先端に軸ピン（１４）で回動自在に軸支される連結片（１３）の他端とを軸ピン（１２）で回動自在に連結するようにした請求項１記載の犬の糞取り器。
【請求項３】
回転板（１０）の中央近傍に輪環（２）の両端を固着するようにした請求項２記載の犬の糞取り器。
【請求項４】
輪環（２）の左右対称位置に下向きのＵ字突起（１５）を設け、このＵ字突起（１５）に糞取り袋の手提げ部（１６）の基部を掛けるようにした請求項１記載の犬の糞取り器。
【請求項５】
リンク機構を収納する球状ケース（８）に糞取り袋（３）の手提げ部分（１６）を引っ掛ける２本の係止用支柱（１７、１8）を立設するようにした請求項２記載の犬の糞取り器。
【発明の詳細な説明】
【技術分野】
【０００１】
本発明は、犬の糞を地上落下前に捕捉するようにした糞取り器に関する。
【背景技術】
【０００２】
従来の犬の糞取り器は大別すると以下の二つの方法に分けられる。
（１）脱糞後、地上にある糞を何らかの手段で回収を図る方法。
（２）脱糞後、糞が地上に落下する前に何らかの手段で回収を図る方法とが考えられる。
（１）については、手が汚れないように炭ばさみなどで挟み取るもの、紙製のスコップ形のもの等が色々と提案されている。しかし、この方法の場合、舗装道路や草地に犬が糞をした後の後始末を完璧にすることは極めて困難である。つまり、そこには残糞や悪臭等が残り不衛生の上、しかも環境面でも大きな社会問題となっている。
【０００３】
（２）については、飼い主は脱糞時にすばやく犬の尻部に収糞用のビニール袋を差し出して収糞をする必要がある。この場合飼い主は、犬が排便する態勢を整える動作の終えるまで、常に犬の後ろを付いて回らねばならない。その上、犬の脱糞時の微妙に動く肛門部の左右の動きにも即座に対処する必要があり、その都度手首を動かして柄の先端に装着された収納袋を肛門部にあてがう必要があった。
【０００４】
下記の特許文献１または特許文献２に開示されるものは柄の先に糞の収納袋を装着し、脱糞時にレバーまたはボタン操作で袋を広げるようにした携帯性、操作性に着目したものである。また特許文献３のものは糞収納袋の輪環への掛け止め手段を開示する。従ってこれら先行技術は上記のような脱糞時に柄の先端の収納袋を犬の肛門へあてがうために作動させることに関しては何ら開示していない。
【特許文献１】実開平７−１３１３８号
【特許文献２】特許第２８３４６９８号
【特許文献３】登録実用新案第３００１５７２号
【発明の開示】
【発明が解決しようとする課題】
【０００５】
犬が排便するとき、犬は自分が気に入った場所を探してやたらと動き回る習性がある。その度に飼い主は引っ張りまわされ、犬が排便のために最終の態勢に入った時に、飼い主は急いで犬の尻部の方に回り込み、糞が地上に落下する前に糞取り袋を犬の尻にあてがう必要がある。本発明はこの操作を楽に、そして確実に収糞作業が出来るようにした犬の糞取り器を提供することを目的とする。
【課題を解決するための手段】
【０００６】
本発明は、取っ手の付いた柄の先端に設けた輪環に犬の糞の収納袋を装着したものであって、この輪環部分を操作レバーを操作して左右に揺動させて犬の糞を地上落下前に収糞出来るようにしたものである。
すなわち、請求項１の発明は、柄１の先端に設けた輪環２に犬の糞取り袋３を装着し、取っ手４近くに設けた操作レバー５で柄1内に挿通されるロッド６を前後に動かし、該ロッド６に連結するリンク機構を介して前記輪環２を左右に揺動させるようにしたことを特徴とする犬の糞取り器である。
【０００７】
請求項２のものは、前記リンク機構を球形カバー８の内壁に立設した軸ピン１１を柄１の先端から延設した基板９に設けた穴から突設させ、該軸ピン１１に回転板１０を回動自在に軸支すると共に、この回転板１０の一端と前記ロッド６の先端に軸ピン１４で回動自在に軸支される連結片１３の他端とを軸ピン１２で回動自在に連結するようにしたことを特徴とする犬の糞取り器である。
【０００８】
請求項３のものは、前記回転板１０の中央近傍に輪環２の両端を固着するようにしたことを特徴とする犬の糞取り器である。
【０００９】
請求項４のものは、前記輪環２の左右対称位置に下向きのＵ字突起１５を設け、このＵ字突起１５に糞取り袋の手提げ部１６の基部を掛けるようにしたことを特徴とする犬の糞取り器である。
【００１０】
請求項５のものは、前記リンク機構を収納する球状ケース８に糞取り袋３の手提げ部分１６を引っ掛ける２本の係止用支柱１７、１8を立設するようにしたことを特徴とする犬の糞取り器である。
【発明の効果】
【００１１】
以上説明したように、本発明によれば柄の取っ手の近くに設けられた操作レバーを主として親指ひとつで簡単に操作することで操作レバーに連動された輪環に装着した犬の糞取り袋を犬の動きに合わせて左右に自由に動かせることで収糞時における飼い主の無駄な動きの軽減が図られる。
また、犬の排便時にはその肛門部の下にすばやく収糞袋が構えやすくなるため地上落下前に収糞することが比較的に容易になる。
【００１２】
本発明によれば地上落下前に収糞することが出来るので地上にある糞を拾い上げたり、汚れを拭いたりする必要はなくなる。従って公園や、路面を汚さず美観を損なうことも無く、その上悪臭を散乱させることも無く、衛生的にも環境的にも迷惑を掛けることがないなどの効果がある。
【００１３】
また本発明の特徴として、収糞袋を左右に自由に飼い主が気ままに動かせることが出来るので、飼い主は恰も玩具で遊ぶ心持で犬との散歩を楽しめる。本発明の持つそのおもしろみや楽しさを大人はもちろん、幼児やお年よりも犬との散歩において最も心配な糞の後始末の問題をこのような側面効果からも手助け出来るという利点もある。
【発明を実施するための最良の形態】
【００１４】
本発明の実施の１形態を図面に基づき以下説明する。
本発明は犬の糞取り器であって、図１及び図２に示すとおり、パイプ状の柄１の先端に設けた輪環２に犬の糞取り袋３を装着し、取っ手４近くに設けた操作レバー５を親指で前後に操作することにより柄1内に挿通されるロッド６及び該ロッド６に連結するリンク機構を介して前記輪環２を左右に揺動させて犬の尻にあてがい犬の糞が地上へ落下前に捕捉できるようにしたものである。
【００１５】
前記柄１は散歩中に立った姿勢で犬の尻にあてがうことが出来るほどの長さであって、柄内に挿通されるロッド６の一端はＬ字状に折り曲げられて取っ手４近くに穿設した長穴７から突出し操作レバー５に取り付けられている。そしてロッド６の他端は樹脂製の球形カバー８内に収容されるリンク機構に連結している。
【００１６】
前記リンク機構は、図３及び図４に示すように、球形カバー８の内壁に立設した軸ピン１１を柄１の先端から延設した基板９に設けた穴から突設させ、該軸ピン１１に回転板１０を回動自在に軸支する。そしてこの回転板１０の一端と前記ロッド６の先端に軸ピン１４で回動自在に軸支される連結片１３の他端とを軸ピン１２で回動自在に連結するようにした。そしてこの回転板１０の中央近傍に輪環２の両端を半田付けまたは溶接固定する。また回転板１０を樹脂板とするときは輪環２の両端を樹脂板に穿設した穴に挿通し接着固定する。
【００１７】
リンク機構をかかる構成としたから図５-Ｂに示すように操作レバー５が長穴７の中央にあるときは、回転板１０は中立位置にあって輪環２を正面に保持する。操作レバー５を押し込んだ位置にある時は、ロッド６の先端で連結片１３を押すので回転板１０は半時計回りに回動して輪環２を正面位置から左に４５度傾かせる。（図５−Ａ）
逆にレバー５を中央位置から手前に引くと、ロッド６の先端に連結する連結片１３引くので回転板１０は時計回りに回動して輪環２を正面位置から右に４５度傾かせる。（図５−Ｃ）
【００１８】
図６に示す犬の糞取り袋３は、スーパーや薬局等で買い物した時に渡されるものが利用できる。また、かかる犬の糞取り袋３を安定的に輪環２に固定するために、輪環２の左右の対称位置に輪環を下向きに曲げて形成するＵ字型突起１６を設けると共に、球状ケース８には手提げ部分１５を引っ掛ける２本の係止用支柱１７、１８を立設する。係止支柱１７は小さな袋用であり、係止支柱１８は大きな袋用である。
【００１９】
かかる犬の糞取り袋３を輪環２に掛ける場合は、糞取り袋３の投入口を上にして輪環２の内側に上からそっと入れる。このとき両方の手提げ部１５の基部が輪環2のＵ字型突起１６に近いところに位置するようにする。そして手提げ部１５を指に軽く掛けてＵ字型突起１６の内側を通して引き上げ、ケースに立設した係止用支柱１７または１８に引っ掛け固定する。
【産業上の利用可能性】
【００２０】
本発明は犬の糞取り器を上記のような構成としたから犬が脱糞する姿勢に入ったら直ちに操作レバーを操作して糞取り袋を装着した輪環部分を左または右に揺動させて犬の尻にあてがい犬の糞が地上落下前に収糞出来るようにしたものである。
【図面の簡単な説明】
【００２１】
【図１】本発明の犬の糞取り器の斜視図である。
【図２】本発明の犬の糞取り器の構成概要を示す平面図である。
【図３】図２の側断面図である。
【図４】リンク機構の側面図である。
【図５】本発明の犬の糞取り器の作動説明図である。
【図６】犬の糞取り袋を輪環に固定する方法を示す説明図である。
【符号の説明】
【００２２】
１  柄
２  輪環
３  犬の糞取り袋
４  取っ手
５  操作レバー
６  ロッド
７  長穴
８  球状カバー
９  基板
１０  回転板
１１、１２，１４  軸ピン
１３  連結片
１５  Ｕ字突起
１６  手提げ部
１７、１８  係止用支柱
【図１】
2005087146.tif 000003
【図２】
2005087146.tif 000004
【図３】
2005087146.tif 000005
【図４】
2005087146.tif 000006
【図５】
2005087146.tif 000007
【図６】
2005087146.tif 000008